(57)【要約】【課題】風呂の浴槽内のお湯は、入浴する人の数が多くなるほど人体の垢、毛髪等のゴミが浴槽のお湯の中に蓄積され、せっかくの熱いお湯をこぼして新しいお湯か水を入れ直しすることがあり、非常に無駄なことをすることが良くあるが、本発明は、人体の垢や毛髪等のゴミを簡易で安全な装置で除去する。【解決手段】浴槽等の水面に浮輪９、水中輪１０、網１１よりなるゴミ集結網部３を浮かせ、その中心より浮子８を貫通してホース７の一端に泡発生器部２を、他端にエアーポンプ部１をつけ、泡発生器部２を浴槽４の底面に沈め、エアーポンプ部１から空気を送り、水中に泡１２を発生させ、この泡１２の上昇とともにゴミ１３を水面へ上昇させ、泡が水面に出ると水面が盛り上がり、中心より外周に向かって水流が出来、ゴミも押し流し、ゴミ集結網部３の網１１に集結される。【選択図】    図１
2004357802.tif 000002
【特許請求の範囲】
【請求項１】
水面に浮く浮輪（９）と水中に沈む水中輪（１０）に網（１１）が弛みをもって結合してなるゴミ集結網部（３）と、一端をエアーポンプ部（１）に、他端には泡発生器部（２）をホース（７）で係合してなる泡発生器部（２）とを組み合わせてなる風呂浴槽内ゴミ収集装置。
【請求項２】
泡発生器部（２）の泡発生加工部（１８）の泡噴出面（２０）を底面部に設けてなる請求項１記載の風呂浴槽内ゴミ収集装置。
【請求項３】
ホース（７）にスライド可能な如く浮子（８）を貫通し、ゴミ集結網部（３）の内側に浮子（８）とわずかな隙間を有して囲むガイドリング（２１）を水中輪（１０）又は浮輪（９）より結合してなる請求項１記載の風呂浴槽内ゴミ収集装置。
【発明の詳細な説明】
【０００１】
【発明が属する技術分野】
本発明は、特に家庭用の浴槽内のお湯は、使用されるに従い、人体の垢や毛髪等が蓄積され、だんだん汚れてくるが、これらの汚れを取り除く装置に関するものである。
【０００２】
【従来の技術】
従来にあっては、浴槽内に漂う老廃物や毛髪を取り除くためには、簡易な方法では、目の細かい網で掬い取る方法や、本格的な方法としては、お湯の循環装置を設け、お湯を循環させて、フィルターでゴミを除去する方法が取られていた。
【０００３】
【発明が解決しようとする課題】
従来の網で掬い取る方法にあっては、表面に浮いているゴミをとることは比較的容易であるが、漂っているゴミや底に沈殿しているゴミを取り除くことは容易でなく、また循環装置方式にあっては、設備が大掛かりとなり、工事も必要になって一般的でなかった。
【０００４】
本発明は、簡易な装置で浴槽内のゴミを連続的に安全に収集することが出来、使用済みの水を捨てることなく再使用出来ることを目的とした風呂浴槽内ゴミ収集装置である。
【０００５】
【課題を解決するための手段】
本発明は、比較的簡易な装置で、しかも労力を必要としないでゴミを除去する方法として、浴槽の底面に泡発生器部を鎮めておき、これにエアーホースを通じてエアーポンプ部よりエアーを圧送し、浴槽の底面から泡を発生させるとその泡は垂直に上昇し、それに従い水流が発生し、水流に当るゴミや、又水流が生じることにより周囲に比較し、水圧が低くなることによって周囲の水が中心に向かう為、同時にゴミも水流の中に入ってきて上部に押し上げられて流れてゆく。
【０００６】
他方、浴槽の水面には水面に浮くリング状の浮輪と水面に若干沈む位置に浮輪より直径の小さい水中輪を配し、このふたつの輪に網を張ったゴミ集結網部を浮かしておき、その水中輪の中心に泡が出るように位置させ、泡が水中から空気中に出る時、外周に向かって水流が発生し、水流と共にゴミも移動し、水中輪の上部を跳び越えて浮輪で遮られ、網の中に入り、網底に沈んでいく。
【０００７】
泡は、泡発生器部を水中に浮かし、泡発生器部の全周から出してもよいし、さらにゴミを舞い上がらせる効率を良くする為には、泡発生器部の水中での高さは底面にある方が良く、さらに泡は泡発生器部のできるだけ下部付近から出る方がその泡の噴出力により泡発生器部を浴槽底面で移動させることも可能である。
【０００８】
又、泡発生器部の水平方向の位置は水中輪の中心に位置することが最も効率が良いので、ゴミ集結網部が水の流れに従って動いたら、泡発生器部もそれにつれて移動させ、又泡発生器部が動いたら今度はゴミ集結網部が追従するようにホースに浮子を係合させ、浮子と泡発生器部間のホースの長さを水面の高さとなるように調節し、他方、水中輪の内側には浮子の大きさよりもすこし大きいガイドリングが水中輪あるいは浮輪と数箇所で結合されており、浮子とガイドリングの関係により泡発生器部とゴミ集結網部は水平方向では追従して移動させることが出来る。
【０００９】
ゴミ集結網部をただ水面に浮かせていただけだと泡発生器部からの泡が当ったゴミおよび中心からある半径のゴミしか取ることが出来ないので、本発明の風呂浴槽内ゴミ収集装置を最も効率よく機能させるため、まず柄のついたブラシで浴槽の壁と底面に付着しているゴミを擦り落とし、さらに浴槽内の水をブラシの柄で水平に回転させ、渦巻き状の水流を作る。
【００１０】
次にゴミ集結網部を水面に浮かせ、その中心から泡発生器部を浴槽の底に着くように浮子の高さを合わせ、エアーポンプ部を始動させると、初期の頃にはゴミ集結網部は水流と共に浴槽の壁づたいに浮いて流れて行くが、徐々に中央に向かい、やがて中心にきて止まる。
【００１１】
すると、すでに衆知の事実として水中で渦巻き流ができると周囲の水は中心に向う性質があるため、水中に漂うゴミは中心に集結しながら比重の大きいものから底面に沈んでいくが、泡発生器部の泡の作用および、泡によって作られる水流の作用により水面に押し上げられ、ゴミ集結網部に集結させることが出来る。
【００１２】
この方法により１回の攪拌で浴槽のゴミは、ほぼ取り除かれ、初期の目的を満足させることが出来るが、比重の重いゴミは中心に集結する前に沈殿してしまうことがあるので、さらに取り除くには２回程度行なう必要があり、又泡発生時間はタイマーと組み合わせることにより調整可能であるし、さらには浴槽の攪拌を動力で間欠的に行えば、より能率が得られることも可能である。
【００１３】
【発明の実施の形態】
浴槽内のゴミを比較的簡易な装置として、エアーポンプ部、泡発生器部、ゴミ集結網部を組み合わせて、水中に発生させた泡の作用により連続的に取り除くことができるものであり、実施の形態を実施例をもとに図面を参照して説明する。
【００１４】
【実施例】
図１は、装置全体の構成を表したもので、主要な部分としてエアーポンプ部１、泡発生器部２、ゴミ集結網部３より構成されており、浴槽４の水５の水面６にゴミ集結網部３を浮かせ、その中心からホース７を結合した泡発生器部２を沈め、ホース７の他端はエアーポンプ部１と結合し、中間にはある程度の力を加えることによりスライドする浮子８が係合し、水面６付近に位置されており、他方ゴミ集結網部３は水面６に浮かぶ浮輪９とこれより径が小さく且つ、水面６より僅かに沈む位置に水中輪１０が目の細かい袋状の形をした網１１により結合しており、水５の中の１２は泡、１３はゴミである。
【００１５】
図２は、ゴミ集結網部３の詳細を示したもので、浮輪９は水に浮かぶ浮力を持ち、これと数本の結合棒１４により水に沈む位置となるよう水中輪１０を位置づけ、これら浮輪９と水中輪１０の間をゴミ沈殿部１５を形成しながら網１１が貼られている。
【００１６】
図３は、泡発生器部２の別の実施例を示すもので、本体１６を貫通して筒１７があり、これにホース７が係合し、本体１６の内側には気泡が通る穴よりなる泡発生加工部１８が結合し、さらにこの内側には錘１９が接着され、本体１６の底面外周部には泡噴出面２０が施されている。
【００１７】
図４は、ゴミ集結網部３の別の実施例を示すもので、水中輪１０の内側にはガイドリング２１が浮子８を囲むごとく且つ、浮子８と隙間をもって係合する位置となるよう数本の支持棒２２により位置されている。
【００１８】
【発明の効果】
本発明は、以上説明したように構成されるので以下に記載されるような効果を奏する。
【００１９】
風呂の残り湯に漂う人体のアカ、毛髪等見苦しく不快感のあるゴミを簡易な装置で除去することが出来る。
【００２０】
本装置を用い、残り湯のゴミばかりでなく、浴槽の壁、底面をブラシ等で擦り、さらに残り湯に回転流を与える事により浴槽内の全体のゴミを取り除くことができる。
【００２１】
風呂のお湯の無駄使いが防げ、省エネにもなり、経済的効果が大きい。
【００２２】
エアーポンプ部は浴槽の外に位置しておくし、また浴室内には空気のみ行くので、電気的には安全であるし、エアーポンプ部は壁掛けに出来るので浴槽より高い位置に設置できる為、浴槽内の水の逆流を生じさせなく出来る。
【００２３】
ホースの太さは細いもので十分であり、取り扱いが楽で、ホースの収納も場所を取らない。
【００２４】
ゴミ集結網部についたゴミは網の裏側から水道水を勢い良くあてれば簡単にゴミを流すことが出来る為、何回でも使用できる。
【００２５】
浴槽のお湯を捨てることなくお湯をきれいにし、且つ浴槽内面も綺麗にして風呂に入れ、清潔感がある。
【００２６】
【図面の簡単な説明】
【図１】風呂浴槽内ゴミ収集装置の実施例の全体を示す部分断面図である。
【図２】ゴミ集結網部の一実施例を示す部分縦断面図である。
【図３】泡発生器部の別の実施例を示す縦断面図である。
【図４】ゴミ集結網部の別の実施例を示す縦断面図である。
【符号の説明】
１    エアーポンプ部
２    泡発生器部
３    ゴミ集結網部
７    ホース
８    浮子
９    浮輪
１０  水中輪
１１  網
１８  泡発生加工部
２０  泡噴出面
２１  ガイドリング
【図１】
2004357802.tif 000003
【図２】
2004357802.tif 000004
【図３】
2004357802.tif 000005
【図４】
2004357802.tif 000006